(57)【要約】【課題】駆動ローラーと従動ローラーとの挟持を円滑に解除することのできる画像読取装置を提供する。【解決手段】画像読取装置１１は、搬送経路Ｔの途中位置に設けられ、搬送経路Ｔを搬送される原稿の画像の読み取る第１の読取部４２Ａと、第１の読取部４２Ａよりも搬送経路Ｔの上流側に配置され、原稿を第１の読取部４２Ａに搬送する搬送部４６とを備える。搬送部４６は、第３の駆動ローラー５４Ａと、第３の駆動ローラー５４Ａとの間で原稿を挟持する第３の従動ローラー５４Ｂとを含む。第３の駆動ローラー５４Ａは、フレーム本体に設けられ、第３の従動ローラー５４Ｂは、ホルダー部材７０に設けられる。そして、カバー３３が閉位置から開位置に変位したときに、第３の駆動ローラー５４Ａから第３の従動ローラー５４Ｂを離間させるようにホルダー部材７０を移動させる。【選択図】図３
2020066506.tif 000002
【特許請求の範囲】
【請求項１】
媒体を支持する媒体支持部と、
前記媒体支持部に支持された前記媒体を給送する給送ローラーと、
前記媒体支持部から前記給送ローラーにより給送された前記媒体が通過する搬送経路と、
前記搬送経路を外部に開放する開位置と、前記搬送経路を外部から閉塞する閉位置との間で変位するカバーと、
前記搬送経路を搬送される前記媒体の画像を読み取る読取部と、
前記読取部よりも前記搬送経路の上流側に配置され、前記媒体を前記読取部に搬送する搬送部と、
を備え、
前記搬送部は、
駆動ローラーと、
前記駆動ローラーとの間で前記媒体を挟持する従動ローラーと
を含み、
前記駆動ローラーは、第１のユニットに設けられ、
前記従動ローラーは、第２のユニットに設けられ、
前記カバーが前記閉位置から前記開位置に変位したときに、前記従動ローラーを前記駆動ローラーから離間させるように前記第２のユニットを移動させる
ことを特徴とする画像読取装置。
【請求項２】
前記第２のユニットは、前記カバーが前記開位置にあるときの移動方向を案内するガイド部を有する
請求項１に記載の画像読取装置。
【請求項３】
前記第２のユニットは、前記カバーが前記開位置にあるとき、前記ガイド部によって回動可能に構成される
請求項２に記載の画像読取装置。
【請求項４】
前記第２のユニットは、前記カバーが前記開位置にあるときに着脱可能に構成される
請求項２又は請求項３に記載の画像読取装置。
【請求項５】
前記ガイド部は、前記第２のユニットの移動方向に沿うように延びており、
前記ガイド部には、前記ガイド部の長手方向に移動可能にガイドピンが係合する
請求項２〜４のいずれか一項に記載の画像読取装置。
【請求項６】
前記カバーは、前記閉位置に配置されたとき、前記開位置に向けた前記第２のユニットの移動をロックするロック部を有し、
前記カバーと前記第２のユニットとの間には、前記閉位置に配置された前記カバーを前記開位置に向けて付勢する付勢部材が設けられる
請求項１〜５のいずれか一項に記載の画像読取装置。
【発明の詳細な説明】
【技術分野】
【０００１】
本発明は、画像読取装置に関する。
【背景技術】
【０００２】
従来、用紙の画像を読み取る画像読取装置が広く知られている。例えば特許文献１に記載の装置では、用紙を搬送するＡＤＦ（Auto Document Feeder）を備え、ＡＤＦが用紙を搬送する過程で、用紙の搬送経路上に設けられた画像読取センサーを通じて用紙の画像を読み取る。また、この装置では、メンテナンス時や紙詰まり時に用紙の搬送経路の上方を開放するＡＤＦカバーを備えている。
【先行技術文献】
【特許文献】
【０００３】
【特許文献１】特開２０１４−１２０８５４号公報
【発明の概要】
【発明が解決しようとする課題】
【０００４】
しかしながら、上記文献に記載の装置では、ＡＤＦカバーを開位置と閉位置との間で移動させたとき、ＡＤＦカバーに支持されるピンチローラーが搬送ローラーと衝突して搬送ローラーを損傷するおそれがあった。
【課題を解決するための手段】
【０００５】
上記課題を解決する画像読取装置は、媒体を支持する媒体支持部と、前記媒体支持部に支持された前記媒体を給送する給送ローラーと、前記媒体支持部から前記給送ローラーにより給送された前記媒体が通過する搬送経路と、前記搬送経路を外部に開放する開位置と、前記搬送経路を外部から閉塞する閉位置との間で変位するカバーと、前記搬送経路を搬送される前記媒体の画像を読み取る読取部と、前記読取部よりも前記搬送経路の上流側に配置され、前記媒体を前記読取部に搬送する搬送部と、を備え、前記搬送部は、駆動ローラーと、前記駆動ローラーとの間で前記媒体を挟持する従動ローラーとを含み、前記駆動ローラーは、第１のユニットに設けられ、前記従動ローラーは、第２のユニットに設けられ、前記カバーが前記閉位置から前記開位置に変位したときに、前記従動ローラーを前記駆動ローラーから離間させるように前記第２のユニットを移動させる。
【図面の簡単な説明】
【０００６】
【図１】複合機の斜視図。
【図２】カバーが開位置にあるときの複合機の斜視図。
【図３】画像読取装置の部分破断断面図。
【図４】画像読取装置のフレーム構造の斜視図。
【図５】ホルダー部材の斜視図。
【図６】ホルダー部材の斜視図。
【図７】ホルダー部材の周辺構造の要部拡大図。
【図８】ホルダー部材の周辺構造の断面図。
【図９】ホルダー部材の周辺構造の断面図。
【図１０】（ａ）、（ｂ）は、ホルダー部材の作用図。
【図１１】（ａ）、（ｂ）は、ホルダー部材の作用図。
【図１２】（ａ）、（ｂ）は、ホルダー部材の作用図。
【発明を実施するための形態】
【０００７】
以下、画像読取装置を備える複合機の一実施の形態について図面を参照して説明する。
【０００８】
図１及び図２に示すように、複合機１０は、画像を読取可能な画像読取装置１１と、画像を記録可能な記録装置１２とを備えている。複合機１０は、画像読取装置１１と記録装置１２とが上下に重なって構成されている。画像読取装置１１は、記録装置１２の上部に配置されている。画像読取装置１１は、記録装置１２に対して開閉可能とされている。
【０００９】
複合機１０は、操作パネル１３が配置されている側の面が前面とされ、その反対側の面が背面とされている。複合機１０の前面及び背面は、複合機１０の幅方向及び上下方向に広がりを有する面である。複合機１０の上面及び下面は、複合機１０の幅方向及び奥行方向に広がりを有する面である。複合機１０において前面、背面、上面及び下面とは異なる面である側面は、複合機１０の上下方向及び奥行方向に広がりを有する面である。そのため、複合機１０の幅方向、上下方向及び奥行方向はそれぞれ異なる方向を示す。
【００１０】
本明細書においては、複合機１０を前面側から見たときに、複合機１０の幅方向において右側となる右端を第１端とし、複合機１０の幅方向において左側となる左端を第２端とする。また、複合機１０の幅方向、上下方向、奥行方向は、画像読取装置１１及び記録装置１２の幅方向、上下方向、奥行方向と一致する。
【００１１】
記録装置１２は、例えばインクなどの液体を噴射可能に構成されている。記録装置１２は、複合機１０を統括的に操作可能な操作パネル１３と、記録装置１２に媒体をセット可能な媒体カセット１４と、画像が記録された媒体が排出される排出トレイ１５とを備えている。
【００１２】
操作パネル１３は、記録装置１２の筐体の一部を構成している。操作パネル１３は、複数のボタン１６と、表示画面１７とを有している。ボタン１６は、例えば、複合機１０の電源をオンとオフとで切り替える電源ボタンを含んでいる。表示画面１７は、複合機１０の各種情報を表示可能とされている。
【００１３】
操作パネル１３の下方には、排出口１８が設けられている。排出口１８は、記録装置１２の前面において矩形状に開口している。排出口１８は、複合機１０の幅方向において、操作パネル１３と略同一の幅とされている。
【００１４】
媒体カセット１４は、排出口１８から前方に向けて突出するように設けられている。媒体カセット１４は、記録装置１２の前方から着脱可能とされている。媒体カセット１４は、媒体を積層状態で収容可能とされている。媒体を収容する媒体カセット１４が記録装置１２に装着されることによって、媒体が記録装置１２にセットされる。本実施の形態において、媒体カセット１４が収容する媒体は、矩形状の用紙である。
【００１５】
排出トレイ１５は、排出口１８から前方に向けて突出するように設けられている。排出トレイ１５は、記録装置１２に装着された媒体カセット１４と上下に重なるように配置され、媒体カセット１４の上方に位置している。記録装置１２により画像が記録された媒体は、排出口１８を通じて排出トレイ１５に排出される。
【００１６】
画像読取装置１１は、例えばスキャナーとして構成され、原稿をセットするための原稿台３１と、原稿台３１の蓋として機能するＡＤＦユニット３２とを有している。画像読取装置１１は、原稿台３１とＡＤＦユニット３２とが上下に重なって構成されている。ＡＤＦユニット３２は、原稿台３１の上部に配置されている。
【００１７】
ＡＤＦユニット３２は、画像読取装置１１の背面側となる端部を支点として、原稿台３１に対して開閉可能に構成されている。画像読取装置１１は、原稿台３１とＡＤＦユニット３２との間にセットされる原稿に記録されている文字、写真等の画像を読み取る。本実施の形態において、画像読取装置１１にセットされる原稿は、矩形状の用紙である。
【００１８】
ＡＤＦユニット３２の上部には、ＡＤＦユニット３２の内部に設けられた原稿の搬送経路Ｔを開放または閉塞するカバー３３が設けられている。図１においては、カバー３３は原稿の搬送経路Ｔを閉塞する閉位置に位置している。カバー３３は、閉位置にあるときには、ＡＤＦユニット３２の上面の一部を構成している。図２においては、カバー３３は原稿の搬送経路Ｔを開放する開位置に位置している。カバー３３が開位置にあるときには、ユーザーが搬送ジャムを生じた原稿を搬送経路Ｔから取り出すことが可能となっている。
【００１９】
図３に示すように、画像読取装置１１は、原稿台３１とＡＤＦユニット３２との間にセットされる原稿の画像だけでなく、積載板４１に積載される原稿の画像も読み取ることが可能に構成されている。ＡＤＦユニット３２は、積載板４１に積載される原稿を読取部４２Ａ，４２Ｂに読み取らせるために読取部４２Ａ，４２Ｂに向けて順次供給する機能を有している。
【００２０】
より詳細には、画像読取装置１１は、原稿の第１面の画像を読み取る第１の読取部４２Ａを有している。第１の読取部４２Ａは、原稿台３１の内部に設けられ、透明板４３の直下となる領域に配置されている。第１の読取部４２Ａは、透明板４３の上面に位置する原稿の第１面の画像を透明板４３を介して読み取る。
【００２１】
第１の読取部４２Ａは、原稿の第１面の画像を読み取る第１のセンサー４４と、第１のセンサー４４を搭載するキャリッジ４５とを有している。キャリッジ４５は、原稿台３１の内部において、画像読取装置１１の幅方向に移動可能とされている。すなわち、第１の読取部４２Ａは、透明板４３の直下となる領域において、画像読取装置１１の幅方向に移動可能とされている。読取部４２Ａは、透明板４３の上面に位置する原稿に対して走査することによって、原稿の第１面の画像を読み取る。
【００２２】
第１の読取部４２Ａは、原稿の第１面の画像を読み取る場合、画像読取装置１１の幅方向において第２端寄りとなる読取位置に位置する。画像読取装置１１は、原稿の第１面の画像を読み取らないときなど、ユーザーからの操作の受付を待機している場合においては、画像読取装置１１の幅方向において読取位置とは異なる待機位置にて第１の読取部４２Ａが待機するように構成されている。
【００２３】
画像読取装置１１は、原稿を積載可能な積載板４１と、積載板４１に積層される原稿を搬送する搬送部４６と、搬送部４６によって搬送された原稿が載置される載置板４７とを備えている。積載板４１、搬送部４６、及び載置板４７は、ＡＤＦユニット３２に設けられている。
【００２４】
積載板４１及び載置板４７は、上下に重なるように配置されている。積載板４１は、載置板４７の上方に位置している。積載板４１及び載置板４７は、画像読取装置１１の幅方向の第２端側から第１端側へ向けて徐々に高さが高くなるように傾斜して延びている。
【００２５】
搬送部４６は、積載板４１に積載される原稿を搬送経路Ｔに沿って搬送する。搬送経路Ｔは、ＡＤＦユニット３２に設けられ、積載板４１から載置板４７に向けてＵ字状に湾曲するように延びている。搬送部４６は、搬送経路Ｔに沿って、積載板４１に積載される原稿を載置板４７に向けて搬送する。
【００２６】
搬送部４６は、複数のローラーにより構成されている。搬送部４６を構成するローラーは、回転することによって原稿を搬送する。これらのローラーは、搬送経路Ｔに沿って配置されている。搬送部４６の搬送経路Ｔには、積載板４１側から載置板４７側に向かって順に、給送ローラー５０、セパレートローラー５１、第１のガイドローラー５２、第２のガイドローラー５３、第３のガイドローラー５４、送りローラー５５、及び、排出ローラー５６が配置されている。
【００２７】
給送ローラー５０は、搬送経路Ｔにおいて積載板４１寄りとなる位置に配置されている。給送ローラー５０は、積載板４１に積載される原稿に対して上方から接触可能とされている。給送ローラー５０は、原稿に接触した状態で回転することによって、積載板４１から搬送経路Ｔへ原稿を供給する。そのため、給送ローラー５０は、積載板４１に複数の原稿が積載される場合、その最上位に位置する原稿から順に給送する。
【００２８】
セパレートローラー５１は、給送ローラー５０から給送される原稿が複数に重なっている場合、それら複数の原稿を１枚ずつに分離させて搬送する。そのため、セパレートローラー５１と対向する位置には、原稿を分離させるための分離ローラー５１Ａが配置されている。セパレートローラー５１及び分離ローラー５１Ａは、搬送経路Ｔを挟み込むように配置されている。
【００２９】
セパレートローラー５１は、搬送経路Ｔを搬送される原稿に対して上方から接触する。分離ローラー５１Ａは、搬送経路Ｔを搬送される原稿に対して下方から接触する。分離ローラー５１Ａは、セパレートローラー５１が原稿を搬送する際に、摩擦力を作用させることにより原稿を１枚ずつに分離させる。
【００３０】
第１のガイドローラー５２は、第１の駆動ローラー５２Ａと第１の従動ローラー５２Ｂとを含み、セパレートローラー５１及び分離ローラー５１Ａにより分離された原稿を挟持した状態で回転する。第１のガイドローラー５２は、搬送される原稿に対して駆動力を付与することによって、原稿を第２のガイドローラー５３に向けて搬送する。
【００３１】
第２のガイドローラー５３は、第２の駆動ローラー５３Ａと第２の従動ローラー５３Ｂとを含み、第１のガイドローラー５２により搬送される原稿を挟持した状態で回転する。第２のガイドローラー５３は、搬送される原稿に対して駆動力を付与することによって、原稿を第３のガイドローラー５４に向けて搬送する。
【００３２】
第３のガイドローラー５４は、第３の駆動ローラー５４Ａと第３の従動ローラー５４Ｂとを含み、第２のガイドローラー５３により搬送される原稿を挟持した状態で回転する。第３のガイドローラー５４は、搬送される原稿に対して駆動力を付与することによって、原稿を送りローラー５５に向けて搬送する。
【００３３】
送りローラー５５は、送り駆動ローラー５５Ａと送り従動ローラー５５Ｂとを含み、第３のガイドローラー５４により搬送される原稿を挟持した状態で回転する。送りローラー５５は、搬送される原稿に対して駆動力を付与することによって、第３のガイドローラー５４から搬送される原稿を排出ローラー５６に向けて搬送する。
【００３４】
排出ローラー５６は、排出駆動ローラー５６Ａと排出従動ローラー５６Ｂとを含み、送りローラー５５により搬送される原稿を挟持した状態で回転する。排出ローラー５６は、搬送される原稿に対して駆動力を付与することによって、原稿を載置板４７に向けて排出する。
【００３５】
搬送経路Ｔにおける送りローラー５５と排出ローラー５６との間となる位置には、搬送経路Ｔを搬送される原稿の第２面の画像を読み取る第２の読取部４２Ｂが配置されている。原稿の第２面は、原稿の第１面とは反対側の面である。第２の読取部４２Ｂは、原稿の第２面の画像を読み取る第２のセンサー５７を有している。
【００３６】
図４は、画像読取装置１１から筐体を取り外したフレーム構造６０を示している。同図に示すように、画像読取装置１１のフレーム構造６０は、搬送経路Ｔを構成する第１のユニットの一例としてのフレーム本体６１と、フレーム本体６１の幅方向の両側に配置される一対の支持フレーム６２とを有している。一対の支持フレーム６２の間には、第３のガイドローラー５４を構成する第３の従動ローラー５４Ｂを保持する第２のユニットの一例としてのホルダー部材７０が回転可能に支持されている。
【００３７】
図５及び図６に示すように、ホルダー部材７０は、ホルダー部材７０の長手方向に沿った面である第１の面７０Ａを有している。ホルダー部材７０の第１の面７０Ａには、第３の従動ローラー５４Ｂがホルダー部材７０の長手方向に所定の間隔を隔てて並列して配置されている。また、ホルダー部材７０は、ホルダー部材７０の長手方向の両側面である第２の面７０Ｂを有している。ホルダー部材７０の第２の面７０Ｂには、ガイド部７１が設けられている。
【００３８】
ホルダー部材７０のガイド部７１は、略Ｕ字状をなすように湾曲して延びる凸条７２により構成されている。凸条７２によって囲まれる凹部空間Ｓ１は、一方向に細長く延びており、長手方向の一端側が閉塞されるとともに、長手方向の他端側が開放されている。凹部空間Ｓ１の長手方向は、鉛直方向に対して斜めに交差する方向と一致しており、長手方向の一端側が鉛直方向の上方に位置するとともに、長手方向の他端側が鉛直方向の下方側に位置している。また、凸条７２における凹部空間Ｓ１を構成する内側面には、突状の係止部７３が設けられている。
【００３９】
図７に示すように、ホルダー部材７０における画像読取装置１１の幅方向の外側には、ピンフレーム７４が設けられている。ピンフレーム７４は、例えば、一対の支持フレーム６２に締結される。ピンフレーム７４は、画像読取装置１１の幅方向の内側に向けて突出するガイドピン７５Ａ，７５Ｂを有している。本実施の形態では、ピンフレーム７４は、画像読取装置１１の幅方向の両側に第１のガイドピン７５Ａ及び第２のガイドピン７５Ｂが設けられている（図９等参照）。ガイドピン７５Ａ，７５Ｂは、円柱状をなしており、ガイドピン７５Ａ，７５Ｂの先端部がホルダー部材７０の凹部空間Ｓ１に挿入されている。この場合、ガイドピン７５Ａ，７５Ｂの先端部の外径は、凹部空間Ｓ１の長手方向と交差する方向の開口幅とほぼ同一である。そのため、ガイドピン７５Ａ，７５Ｂの移動方向は、凹部空間Ｓ１の長手方向に沿う方向に規制されている。
【００４０】
また、図５及び図６に示すように、ホルダー部材７０の第２の面７０Ｂには、上方が開口した略Ｕ字状をなす支持枠７６が設けられている。支持枠７６には、棒状をなす押圧部材７７が、その先端部を支持枠７６から突出させる態様で収容されている。また、押圧部材７７の基端部には、環状のフランジ部７７Ａが設けられている。そして、押圧部材７７のフランジ部７７Ａは、支持枠７６の開口縁に設けられたリブ７６Ａによって押圧部材７７の長手方向に係止されている。また、支持枠７６の内底面と押圧部材７７との間には、押圧部材７７を鉛直方向の上方に付勢する付勢部材の一例としてのコイルバネ７８が設けられている。
【００４１】
図８及び図９に示すように、カバー３３が閉位置にあるときには、カバー３３の下端縁がコイルバネ７８の付勢力に抗して押圧部材７７を鉛直方向の下方に押し下げた状態にある。カバー３３の下端縁には、略Ｕ字状をなすように湾曲したロック部８０が鉛直方向の下方に開口するように設けられている。ロック部８０には、係合ピン８１の先端部が挿入されている。係合ピン８１は、例えば、一対の支持フレーム６２に締結される。係合ピン８１は、円柱状をなしており、係合ピン８１の先端部がロック部８０に挿入されている。この場合、係合ピン８１の先端部の外径は、ロック部８０の開口幅とほぼ同一である。そのため、係合ピン８１は、ロック部８０に対して係合しており、カバー３３は、閉位置から開位置への回動が係合ピン８１によって規制されている。
【００４２】
次に、本実施の形態の画像読取装置１１の動作について、特に、カバー３３を閉位置から開位置に変位させたときのホルダー部材７０の動作に着目して以下説明する。
【００４３】
さて、図８及び図９に示すように、カバー３３が閉位置にあるときには、カバー３３のロック部８０がホルダー部材７０の押圧部材７７をコイルバネ７８の付勢力に抗して下方に押圧する。この場合、ホルダー部材７０の凹部空間Ｓ１の長手方向の一端側に第１のガイドピン７５Ａが係合する。また、ホルダー部材７０に保持された第３の従動ローラー５４Ｂは、第３の駆動ローラー５４Ａに対して密着している。
【００４４】
ここで、図１０（ａ）及び図１０（ｂ）に示すように、カバー３３のロック部８０から係合ピン８１を取り外してカバー３３のロックを解除した上で、カバー３３を閉位置から開位置に変位させると、ホルダー部材７０の押圧部材７７は、カバー３３のロック部８０からの押圧が解除される。そのため、ホルダー部材７０の押圧部材７７は、コイルバネ７８の付勢力に従って、押圧部材７７のフランジ部７７Ａが支持枠７６のリブ７６Ａに係止する位置まで鉛直方向の上方に移動する。また、ホルダー部材７０に対するカバー３３からの押圧が解除されるため、ホルダー部材７０の凹部空間Ｓ１の長手方向の一端側に対する第１のガイドピン７５Ａの係合も解除される。この場合、第１のガイドピン７５Ａ及び第２のガイドピン７５Ｂは、ホルダー部材７０の凹部空間Ｓ１の長手方向に沿うように移動可能となる。そして、ホルダー部材７０は、一対の支持フレーム６２によって移動可能に支持される。そのため、ホルダー部材７０に保持された第３の従動ローラー５４Ｂは、第３の駆動ローラー５４Ａから離間して第３の駆動ローラー５４Ａに対する密着が解除される。すなわち、ホルダー部材７０は、カバー３３が開位置から閉位置に変位することに連動して、第３の従動ローラー５４Ｂを第３の駆動ローラー５４Ａから離間させる。
【００４５】
続いて、図１１（ａ）及び図１１（ｂ）に示すように、ホルダー部材７０を鉛直方向の上方に移動させる。この場合、ホルダー部材７０は、凹部空間Ｓ１が第１のガイドピン７５Ａ及び第２のガイドピン７５Ｂに対して係合している。そのため、ホルダー部材７０は、凹部空間Ｓ１の長手方向に沿うように移動方向が規制される。そして、第１のガイドピン７５Ａが凹部空間Ｓ１の開口縁に設けられた係止部７３に係止する位置まで移動すると、第２のガイドピン７５Ｂが凹部空間Ｓ１から外れた位置まで移動する。この場合、ホルダー部材７０は、凹部空間Ｓ１に挿入されるガイドピンが第１のガイドピン７５Ａのみとなるため、第１のガイドピン７５Ａを中心として回動可能とされる。
【００４６】
そして、図１２（ａ）及び図１２（ｂ）に示すように、ホルダー部材７０が第１のガイドピン７５Ａを中心として回転したときには、ホルダー部材７０の下端部とフレーム本体６１との間に隙間Ｓ２が確保される。そのため、第３の駆動ローラー５４Ａと第３の従動ローラー５４Ｂとの間で原稿の搬送ジャムが生じたとしても、隙間Ｓ２を介して原稿を取り出すことが可能となる。また、同図に示す状態からホルダー部材７０をさらに上方に移動させると、係止部７３による第１のガイドピン７５Ａの係止が解除される。そのため、ホルダー部材７０を画像読取装置１１のフレーム構造６０から取り外すことも可能となる。
【００４７】
次に、本実施の形態の画像読取装置１１の作用について説明する。
【００４８】
ＡＤＦユニット３２が原稿の画像を読み取る際には、原稿が搬送経路Ｔの途中位置で搬送ジャムを発生することがある。この場合、搬送ジャムを生じた原稿を搬送経路Ｔから取り出すために、搬送経路Ｔ上に配置された駆動ローラーと従動ローラーとの挟持を解除することが必要となる。
【００４９】
しかしながら、搬送経路Ｔを開閉するカバーに従動ローラーを設けた場合には、カバーを開位置から閉位置に勢いよく移動させたときには、カバーに支持される従動ローラーが駆動ローラーと衝突して双方のローラーを損傷するおそれがあった。
【００５０】
この点、本実施の形態では、第３の従動ローラー５４Ｂがカバー３３とは別部材として設けられたホルダー部材７０に保持されている。そして、カバー３３を閉位置から開位置に移動させたときに、カバー３３からホルダー部材７０への押圧が解除されることにより、ホルダー部材７０に保持された第３の従動ローラー５４Ｂと第３の駆動ローラー５４Ａとの挟持が解除される。そのため、カバー３３を開位置から閉位置に移動させるときの操作の態様に関わらず、第３の駆動ローラー５４Ａと第３の従動ローラー５４Ｂとの挟持が円滑に解除される。
【００５１】
また、本実施の形態では、ホルダー部材７０を凹部空間Ｓ１の長手方向に移動させるだけでなく、第１のガイドピン７５Ａを中心として回転可能に構成されている。そのため、ホルダー部材７０を一方向に移動させるのみの構成と比較して、画像読取装置１１の省スペース化が図りつつ、搬送ジャムを生じた原稿を搬送経路Ｔから速やかに取り出すことが可能となる。
【００５２】
また、本実施の形態では、ホルダー部材７０がフレーム本体６１に対して着脱可能に構成されている。そのため、搬送ジャムを生じた原稿を搬送経路Ｔから取り出す際の操作性がより一層向上される。
【００５３】
また、本実施の形態では、カバー３３のロック部８０から係合ピン８１を取り外すことにより、閉位置におけるカバー３３の固定が解除される。そのため、カバー３３を閉位置から開位置に変位させるときの操作性が向上し、搬送ジャムを生じた原稿を搬送経路Ｔから速やかに取り出すことが可能となる。
【００５４】
以上説明したように、上記実施の形態によれば、以下に示す効果が得られる。
【００５５】
（１）第３の駆動ローラー５４Ａは、フレーム本体６１に設けられるとともに、第３の従動ローラー５４Ｂは、ホルダー部材７０に設けられる。そして、カバー３３が閉位置から開位置に変位したときに、第３の駆動ローラー５４Ａと第３の従動ローラー５４Ｂとの間での原稿の挟持を解除するようにホルダー部材７０を移動させる。そのため、カバー３３を開位置から閉位置に移動させるときの操作の態様に関わらず、第３の駆動ローラー５４Ａと第３の従動ローラー５４Ｂとの挟持を円滑に解除することができる。
【００５６】
（２）ホルダー部材７０は、カバー３３が開位置にあるときの移動方向を案内するガイド部７１を有する。そのため、搬送ジャムを生じた原稿を搬送経路Ｔから取り出す際の操作性を向上することができる。
【００５７】
（３）ホルダー部材７０は、カバー３３が開位置にあるとき、ガイド部７１によって回動可能に構成される。そのため、ホルダー部材７０を一方向に移動させるのみの構成と比較して、画像読取装置１１の省スペース化が図りつつ、搬送ジャムを生じた原稿を搬送経路Ｔから速やかに取り出すことが可能となる。
【００５８】
（４）ホルダー部材７０は、カバー３３が開位置にあるときに着脱可能に構成される。そのため、搬送ジャムを生じた原稿を搬送経路Ｔから取り出す際の操作性を向上できる。
【００５９】
（５）凸条７２は、ホルダー部材７０の移動方向に沿うように延びており、凸条７２には、凸条７２の長手方向に移動可能にガイドピン７５Ａ，７５Ｂが係合する。そのため、搬送ジャムを生じた原稿を搬送経路Ｔから取り出す際の操作性をより一層向上できる。
【００６０】
（６）カバー３３は、閉位置に配置されたとき、開位置に向けたホルダー部材７０の移動をロックするロック部８０を有し、カバー３３とホルダー部材７０との間には、閉位置に配置されたカバー３３を開位置に向けて付勢するコイルバネ７８が設けられる。そのため、ロック部８０によるカバー３３のロックを解除したときには、コイルバネ７８からの付勢力に基づき、カバー３３を閉位置から開位置に円滑に移動させることができる。
【００６１】
なお、上記実施の形態は以下に示す変更例のように変更してもよい。さらに、上記実施の形態および以下に示す変更例を適宜組み合わせたものを、更なる変更例としてもよいし、以下に示す変更例同士を適宜組み合わせたものを、更なる変更例としてもよい。
【００６２】
・上記実施の形態において、開位置に向けたカバー３３の移動をロックするロック部８０は、必ずしもフック形状である必要はなく、例えば爪形状等、カバー３３の移動をロック可能な構成であればよい。
【００６３】
・上記実施の形態において、閉位置に配置されたカバー３３を開位置に向けて付勢するコイルバネ７８を省略してもよい。
【００６４】
・上記実施の形態において、ホルダー部材７０にガイドピンを設けるとともに、このガイドピンに係合するガイド部を一対の支持フレーム６２に設けてもよい。
【００６５】
・上記実施の形態において、ホルダー部材７０は、フレーム本体６１からの取り外しができない構成であってもよい。
【００６６】
・上記実施の形態において、ホルダー部材７０は、カバー３３が開位置にあるときに回動不能な構成であってもよい。この場合、ホルダー部材７０の移動方向は、必ずしも直線状である必要はなく、例えば曲線状であってもよい。
【００６７】
・上記実施の形態において、ホルダー部材７０は、カバー３３が開位置にあるときの異動方向を案内する凸条７２を省略してもよい。
【００６８】
・上記実施の形態において、ホルダー部材７０が保持するローラーは、必ずしも第３の従動ローラー５４Ｂである必要はなく、原稿の搬送経路Ｔ上に配置された他のローラーに適用することも可能である。
【００６９】
以下、前記実施の形態および変更例から把握される技術思想を、効果と共に記載する。
【００７０】
媒体を支持する媒体支持部と、前記媒体支持部に支持された前記媒体を給送する給送ローラーと、前記媒体支持部から前記給送ローラーにより給送された前記媒体が通過する搬送経路と、前記搬送経路を外部に開放する開位置と、前記搬送経路を外部から閉塞する閉位置との間で変位するカバーと、前記搬送経路を搬送される前記媒体の画像を読み取る読取部と、前記読取部よりも前記搬送経路の上流側に配置され、前記媒体を前記読取部に搬送する搬送部と、を備え、前記搬送部は、駆動ローラーと、前記駆動ローラーとの間で前記媒体を挟持する従動ローラーとを含み、前記駆動ローラーは、第１のユニットに設けられ、前記従動ローラーは、第２のユニットに設けられ、前記カバーが前記閉位置から前記開位置に変位したときに、前記従動ローラーを前記駆動ローラーから離間させるように前記第２のユニットを移動させる。
【００７１】
この構成によれば、カバーを開位置から閉位置に移動させるときの操作の態様に関わらず、駆動ローラーと従動ローラーとの挟持を円滑に解除することができる。
【００７２】
上記画像読取装置において、前記第２のユニットは、前記カバーが前記開位置にあるときの移動方向を案内するガイド部を有するとよい。
【００７３】
この構成によれば、搬送ジャムを生じた媒体を搬送経路から取り出す際の操作性を向上することができる。
【００７４】
上記画像読取装置において、前記第２のユニットは、前記カバーが前記開位置にあるとき、前記ガイド部によって回動可能に構成されるとよい。
【００７５】
この構成によれば、第２のユニットを一方向に移動させるのみの構成と比較して、画像読取装置の省スペース化が図りつつ、搬送ジャムを生じた媒体を搬送経路から速やかに取り出すことが可能となる。
【００７６】
上記画像読取装置において、前記第２のユニットは、前記カバーが前記開位置にあるときに着脱可能に構成されるとよい。
【００７７】
この構成によれば、搬送ジャムを生じた媒体を搬送経路から取り出す際の操作性を向上できる。
【００７８】
上記画像読取装置において、前記ガイド部は、前記第２のユニットの移動方向に沿うように延びており、前記ガイド部には、前記ガイド部の長手方向に移動可能にガイドピンが係合するとよい。
【００７９】
この構成によれば、搬送ジャムを生じた媒体を搬送経路から取り出す際の操作性をより一層向上できる。
【００８０】
上記画像読取装置において、前記カバーは、前記閉位置に配置されたとき、前記開位置に向けた前記第２のユニットの移動をロックするロック部を有し、前記カバーと前記第２のユニットとの間には、前記閉位置に配置された前記カバーを前記開位置に向けて付勢する付勢部材が設けられるとよい。
【００８１】
この構成によれば、ロック部によるカバーのロックを解除したときには、付勢部材からの付勢力に基づき、カバーを閉位置から開位置に円滑に移動させることができる。
【符号の説明】
【００８２】
１１…画像読取装置、３３…カバー、４１…積載板（媒体支持部の一例）、４２Ａ…第１の読取部（読取部の一例）、４６…搬送部、５０…給送ローラー、５４Ａ…第３の駆動ローラー（駆動ローラーの一例）、５４Ｂ…第３の従動ローラー（従動ローラーの一例）、６１…フレーム本体（第１のユニットの一例）、７０…ホルダー部材（第２のユニットの一例）、７１…ガイド部、７５Ａ…第１のガイドピン（ガイドピンの一例）、７５Ｂ…第２のガイドピン（ガイドピンの一例）、７８…コイルバネ（付勢部材の一例）、８０…ロック部、Ｔ…搬送経路。
【図１】
2020066506.tif 000003
【図２】
2020066506.tif 000004
【図３】
2020066506.tif 000005
【図４】
2020066506.tif 000006
【図５】
2020066506.tif 000007
【図６】
2020066506.tif 000008
【図７】
2020066506.tif 000009
【図８】
2020066506.tif 000010
【図９】
2020066506.tif 000011
【図１０】
2020066506.tif 000012
【図１１】
2020066506.tif 000013
【図１２】
2020066506.tif 000014